(57)【特許請求の範囲】
【請求項１】
人の臀部を載せることができる座板に、互いに交差するように組み合わされた幅広の一対の脚部材を着脱可能に取り付けてなる組立式正座椅子において、
前記脚部材の上面の交差部に突設される軸部にその軸部の外周面から張り出すように張出部を設けてなる係止部材と、
前記座板に設けられ、前記係止部材の張出部が挿入可能な張出部挿入開口部と、
前記座板における前記張出部挿入開口部から水平方向の一側に所定距離隔てた位置に配設され、前記係止部材の軸部が嵌合可能な軸部嵌合開口部と、
前記張出部挿入開口部と前記軸部嵌合開口部とを繋ぐように前記座板に配設され、前記係止部材の軸部が通過可能な軸部通過開口部と、
少なくとも前記張出部挿入開口部から前記軸部通過開口部を経て前記軸部嵌合開口部に至る部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とする組立式正座椅子。
【請求項２】
前記座板の下面に、前記座板に対し所定の回転位置に配された状態にある前記脚部材の水平方向の他側へのスライド移動を規制するストッパ部材が設けられる請求項１に記載の組立式正座椅子。
【請求項３】
人の臀部を載せることができる座板に、互いに交差するように組み合わされた幅広の一対の脚部材を着脱可能に取り付けてなる組立式正座椅子において、
前記脚部材の上面の交差部に突設される軸部にその軸部の直径寸法よりも小さい幅寸法でその軸部の外周面から張り出すように張出部を設けてなる係止部材と、
前記座板に設けられ、前記係止部材の軸部が嵌合可能な軸部嵌合開口部と、
前記座板に設けられ、前記係止部材の張出部が挿入可能な張出部挿入開口部と、
前記軸部嵌合開口部の中心を基準として少なくとも前記張出部挿入開口部を包含する円周領域部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とする組立式正座椅子。
【請求項４】
人の臀部を載せることができる座板に、互いに交差するように組み合わされた幅広の一対の脚部材を着脱可能に取り付けてなる組立式正座椅子において、
前記脚部材の上面の交差部に突設される枢軸部材と、
前記枢軸部材と所定の軸間距離を隔てて前記脚部材の上面に突設される軸部にその軸部の外周面から張り出すように張出部を設けてなる係止部材と、
前記座板に設けられ、前記枢軸部材が嵌合可能な枢軸部材嵌合開口部と、
前記座板に設けられ、前記係止部材の張出部が挿入可能な張出部挿入開口部と、
前記枢軸部材嵌合開口部の中心を基準として前記座板における前記張出部挿入開口部から水平方向に所定回転角度ずれた位置に配設され、前記係止部材の軸部が嵌合可能な軸部嵌合開口部と、
前記張出部挿入開口部と前記軸部嵌合開口部とを円弧状に繋ぐように前記座板に配設され、前記係止部材の軸部が通過可能な軸部通過開口部と、
少なくとも前記張出部挿入開口部から前記軸部通過開口部を経て前記軸部嵌合開口部に至る部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とする組立式正座椅子。
【請求項５】
前記脚部材の側部が円弧状に切り欠かれ、かつ前記脚部材が前記座板の前後左右方向に十の字状に交差するように配設される請求項１〜４のいずれかに記載の組立式正座椅子。
【発明の詳細な説明】
【技術分野】
【０００１】
本発明は、冠婚葬祭や各種の会合の席などで長時間正座するときに、お尻の下に敷いて足が痺れるのを軽減する組立式正座椅子に関するものである。
【背景技術】
【０００２】
従来、正座時の足の痺れを軽減するものとして、例えば特許文献１にて提案されている正座補助椅子がある。
【先行技術文献】
【特許文献】
【０００３】
【特許文献１】実用新案登録第３１７８７１０号公報
【０００４】
この特許文献１に係る正座補助椅子は、人の臀部を載せることができる座板と、互いに交差するように組み合わされてその座板を支持する一対の脚部材とを備えている。
一対の脚部材のそれぞれの上面には、突起が設けられている。
座板の下面には、一対の脚部材における突起と嵌合する嵌合口が設けられている。
座板の下面および一対の脚部材の上面のいずれか一方には、磁石体が埋設されている。
座板の下面および一対の脚部材の上面のいずれか他方には、前記磁石体に対応するように磁性体が埋設されている。
【０００５】
この正座補助椅子においては、一対の脚部における突起と座板における嵌合口とを嵌合させることにより、一対の脚部材が座板に起立状態に位置決めされて組み立てられ、この組立状態が、磁石体と磁性体との間に作用する磁力によって保持される。
【０００６】
ところで、座板に対する一対の脚部材の組付けを容易にするため、上記の突起と嵌合口との間には若干の隙間が設けられている。
このため、上記の正座補助椅子では、例えば当該正座補助椅子を持ち上げて運ぼうとしたときなどに、磁石体と磁性体との間に作用する磁力よりも大きな力が、座板から一対の脚部材を引き離す方向に作用してしまうと、座板から一対の脚部材が外れてしまい、組立状態を安定的に保持することができないという問題点がある。
【発明の概要】
【発明が解決しようとする課題】
【０００７】
本発明は、前述のような問題点に鑑みてなされたもので、容易に組立可能で着座の安定性や持ち運びの利便性を確保することができ、しかも組立状態を安定的に保持することができる組立式正座椅子を提供することを目的とするものである。
【課題を解決するための手段】
【０００８】
前記目的を達成するために、第１発明による組立式正座椅子は、
人の臀部を載せることができる座板に、互いに交差するように組み合わされた幅広の一対の脚部材を着脱可能に取り付けてなる組立式正座椅子において、
前記脚部材の上面の交差部に突設される軸部にその軸部の外周面から張り出すように張出部を設けてなる係止部材と、
前記座板に設けられ、前記係止部材の張出部が挿入可能な張出部挿入開口部と、
前記座板における前記張出部挿入開口部から水平方向の一側に所定距離隔てた位置に配設され、前記係止部材の軸部が嵌合可能な軸部嵌合開口部と、
前記張出部挿入開口部と前記軸部嵌合開口部とを繋ぐように前記座板に配設され、前記係止部材の軸部が通過可能な軸部通過開口部と、
少なくとも前記張出部挿入開口部から前記軸部通過開口部を経て前記軸部嵌合開口部に至る部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とするものである。
【０００９】
第１発明において、前記座板の下面に、前記座板に対し所定の回転位置に配された状態にある前記脚部材の水平方向の他側へのスライド移動を規制するストッパ部材が設けられるのが好ましい（第２発明）。
【００１０】
次に、第３発明による組立式正座椅子は、
人の臀部を載せることができる座板に、互いに交差するように組み合わされた幅広の一対の脚部材を着脱可能に取り付けてなる組立式正座椅子において、
前記脚部材の上面の交差部に突設される軸部にその軸部の直径寸法よりも小さい幅寸法でその軸部の外周面から張り出すように張出部を設けてなる係止部材と、
前記座板に設けられ、前記係止部材の軸部が嵌合可能な軸部嵌合開口部と、
前記座板に設けられ、前記係止部材の張出部が挿入可能な張出部挿入開口部と、
前記軸部嵌合開口部の中心を基準として少なくとも前記張出部挿入開口部を包含する円周領域部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とするものである。
【００１１】
また、第４発明による組立式正座椅子は、
人の臀部を載せることができる座板に、互いに交差するように組み合わされた幅広の一対の脚部材を着脱可能に取り付けてなる組立式正座椅子において、
前記脚部材の上面の交差部に突設される枢軸部材と、
前記枢軸部材と所定の軸間距離を隔てて前記脚部材の上面に突設される軸部にその軸部の外周面から張り出すように張出部を設けてなる係止部材と、
前記座板に設けられ、前記枢軸部材が嵌合可能な枢軸部材嵌合開口部と、
前記座板に設けられ、前記係止部材の張出部が挿入可能な張出部挿入開口部と、
前記枢軸部材嵌合開口部の中心を基準として前記座板における前記張出部挿入開口部から水平方向に所定回転角度ずれた位置に配設され、前記係止部材の軸部が嵌合可能な軸部嵌合開口部と、
前記張出部挿入開口部と前記軸部嵌合開口部とを円弧状に繋ぐように前記座板に配設され、前記係止部材の軸部が通過可能な軸部通過開口部と、
少なくとも前記張出部挿入開口部から前記軸部通過開口部を経て前記軸部嵌合開口部に至る部分に対応するように前記座板の内部に設けられ、前記係止部材の張出部を受け入れ可能な張出部受入空間と、
前記座板に対し前記脚部材が所定の回転位置に配されたときに対向する前記座板の下面および前記脚部材の上面のいずれか一方に設けられる磁石体と、
前記座板に対し前記脚部材が所定の回転位置に配されたときに対向する前記座板の下面および前記脚部材の上面のいずれか他方に前記磁石体と対応するように設けられる磁性体または前記磁石体と引き合う別体の磁石体と、
を備えることを特徴とするものである。
【００１２】
第１発明乃至第４発明において、前記脚部材の側部が円弧状に切り欠かれ、かつ前記脚部材が前記座板の前後左右方向に十の字状に交差するように配設されるのが好ましい（第５発明）。
【発明の効果】
【００１３】
第１発明の組立式正座椅子においては、所定の係止操作により、すなわち係止部材の張出部を張出部挿入開口部から張出部受入空間へと挿入した状態で、係止部材の軸部が張出部挿入開口部から軸部通過開口部を介して軸部嵌合開口部に位置するように座板に対し一対の脚部材を水平方向の一側にスライド移動させることにより、係止部材の張出部が軸部嵌合開口部の周辺部に係止されるとともに、係止部材の軸部が軸部嵌合開口部に嵌合される。
係止部材の張出部が軸部嵌合開口部の周辺部に係止されると、座板に対する一対の脚部材の引き抜き方向の移動が止められることになる。
係止部材の軸部が軸部嵌合開口部に嵌合されると、座板に対し一対の脚部材が水平方向に回転操作可能とされる。
座板に対する一対の脚部材の水平方向の回転操作にて一対の脚部材が座板に対し所定の回転位置に配されると、磁石体と磁性体または磁石体同士の間に作用する磁力により、座板に対し一対の脚部材がその所定の回転位置に位置決めされる。
【００１４】
第１発明の組立式正座椅子によれば、座板に対する一対の脚部材の所定の係止操作と回転操作の実施によって容易に組み立てることができる。
また、互いに交差するように組み合わされた一対の脚部材によって着座者の縦方向や横方向の体重移動を伴う使用にも耐えることができるので、着座の安定性を確保することができる。
また、座板および一対の脚部材をそれぞれパーツ毎に分解することにより、コンパクトに纏めて鞄等に収納可能となるので、持ち運びの利便性を確保することができる。
また、組立状態においては、係止部材の張出部が軸部嵌合開口部の周辺部に係止されて座板に対する一対の脚部材の引き抜き方向の移動が止められるので、例えば組立状態で当該組立式正座椅子を持ち運ぼうとしたときに、万一、磁石体と磁性体との間（または磁石体同士）に作用する磁力よりも大きな力が、座板から一対の脚部材を引き離す方向に作用したとしても、座板から一対の脚部材が外れるようなことがなく、組立状態を安定的に保つことができる。
【００１５】
第２発明の組立式正座椅子によれば、座板に対し所定の回転位置に配された状態にある一対の脚部材の水平方向の他側へのスライド移動がストッパ部材によって規制されるので、座板に対する一対の脚部材の回転操作にて一旦それら脚部材を所定の回転位置と異なる回転位置に配してストッパ部材と当らないようにしてから水平方向の他側にスライド移動させるといった係止解除操作を行わない限り、座板に対する一対の脚部材の係止状態が解除されないので、組立状態をより安定的に保つことができる。
【００１６】
第３発明の組立式正座椅子においては、所定の係止操作により、すなわち係止部材の軸部を軸部嵌合開口部に挿入して嵌合するとともに、係止部材の張出部を張出部挿入開口部から張出部受入空間へと挿入し、係止部材の張出部を張出部受入空間内に配した状態で、張出部が張出部挿入開口部からずれた位置に配されるように、係止部材の軸部を中心として、座板に対し一対の脚部材を水平方向に回転操作することにより、係止部材の張出部が軸部嵌合開口部の周辺部に係止される。
係止部材の張出部が軸部嵌合開口部の周辺部に係止されると、座板に対する一対の脚部材の引き抜き方向の移動が止められることになる。
係止部材の軸部が軸部嵌合開口部に嵌合されると、座板に対し一対の脚部材が水平方向に回転操作可能とされる。
座板に対する一対の脚部材の水平方向の回転操作にて一対の脚部材が座板に対し所定の回転位置に配されると、磁石体と磁性体または磁石体同士の間に作用する磁力により、座板に対し一対の脚部材がその所定の回転位置に位置決めされる。
したがって、第３発明の組立式正座椅子によっても、第１発明の組立式正座椅子と同様の作用効果を得ることができる。
【００１７】
第４発明の組立式正座椅子においては、所定の係止操作により、すなわち枢軸部材を枢軸部材嵌合開口部に挿入して嵌合するとともに、係止部材の張出部を張出部挿入開口部から張出部受入空間へと挿入し、係止部材の張出部を張出部受入空間内に配した状態で、係止部材の軸部が張出部挿入開口部から軸部通過開口部を介して軸部嵌合開口部に位置するように、枢軸部材を中心として、座板に対し一対の脚部材を水平方向に回転操作することにより、係止部材の張出部が軸部嵌合開口部の周辺部に係止される。
係止部材の張出部が軸部嵌合開口部の周辺部に係止されると、座板に対する一対の脚部材の引き抜き方向の移動が止められることになる。
枢軸部材が枢軸部材嵌合開口部に嵌合されると、座板に対し一対の脚部材が水平方向に回転操作可能とされる。
座板に対する一対の脚部材の水平方向の回転操作にて一対の脚部材が座板に対し所定の回転位置に配されると、磁石体と磁性体または磁石体同士の間に作用する磁力により、座板に対し一対の脚部材がその所定の回転位置に位置決めされる。
したがって、第４発明の組立式正座椅子によっても、第１発明の組立式正座椅子と同様の作用効果を得ることができる。
【００１８】
第５発明の組立式正座椅子によれば、一対の脚部材が座板の前後左右方向に十の字状に交差するように配設され、しかも脚部材の側部が円弧状に切り欠かれているので、使用の際に足が脚部材と接触するのを回避することができる。なお、万一、脚部材の側部に足が接触したとしても、その円弧形状に沿って足が接触されることになるので、脚部材との接触に起因して足が痛くなるのを確実に防ぐことができる。
【図面の簡単な説明】
【００１９】
【図１】本発明の第１の実施形態に係る組立式正座椅子の全体斜視図
【図２】同組立式正座椅子の使用時の背面図
【図３】同組立式正座椅子における一方の脚部材の平面図（ａ）、正面図（ｂ）および底面図（ｃ）並びに他方の脚部材の平面図（ｄ）、正面図（ｅ）および底面図（ｆ）
【図４】同組立式正座椅子における直交状態に組まれた一対の脚部材の斜視図
【図５】同組立式正座椅子における基板の縦断面図（ａ）、上基板の底面図（ｂ）および下基板の底面図（ｃ）
【図６】同組立式正座椅子の収納時の底面図
【図７】同組立式正座椅子の組立手順の説明図
【図８】本発明の第２の実施形態に係る組立式正座椅子における直交状態に組まれた一対の脚部材の斜視図
【図９】同組立式正座椅子における基板の縦断面図（ａ）、上基板の底面図（ｂ）および下基板の底面図（ｃ）
【図１０】同組立式正座椅子の組立手順の説明図
【図１１】本発明の第３の実施形態に係る組立式正座椅子における直交状態に組まれた一対の脚部材の斜視図
【図１２】同組立式正座椅子における基板の縦断面図（ａ）、上基板の底面図（ｂ）および下基板の底面図（ｃ）
【図１３】本発明の第４の実施形態に係る組立式正座椅子における直交状態に組まれた一対の脚部材の斜視図
【図１４】同組立式正座椅子における基板の縦断面図（ａ）、上基板の底面図（ｂ）および下基板の底面図（ｃ）
【図１５】同組立式正座椅子の組立手順の説明図
【発明を実施するための形態】
【００２０】
次に、本発明による組立式正座椅子の具体的な実施の形態について、図面を参照しつつ説明する。
【００２１】
〔第１の実施形態〕
図１には、本発明の第１の実施形態に係る組立式正座椅子の全体斜視図が、図２には、同組立式正座椅子の使用時の背面図がそれぞれ示されている。
【００２２】
＜組立式正座椅子の概略説明＞
図１に示されるように、組立式正座椅子１は、座板２と、この座板２を支持する一対の脚部材３，３´とを備えている。
【００２３】
＜座板の説明＞
図２に示されるように、座板２は、上基板４ａと下基板４ｂとを上下に重ね合わせて固着してなる基板４の上面に弾力性に富むクッション材５が貼り付けられて構成され、横方向（着座者の左右方向）の寸法に対して奥行方向（着座者の前後方向）の寸法が短い略長方形状で、人の臀部Ｈを載せることができる大きさに形成されている。なお、このクッション材５を合成皮や市販の布地類などのカバーで覆うのが好ましい。また、このカバーには、華麗な色柄を付したり、冠婚葬祭に適合する和風調の色柄を付したりするのがよい。
【００２４】
＜脚部材の説明＞
脚部材３，３´の脚長寸法は、脚部材３，３´が座板２に組み付けられた状態にあるときに、座板２が所定高さ位置に配されるようにその大きさが決定されている。ここで、所定高さ位置とは、着座者が臀部Ｈを座板２に載せて正座姿勢をとったとしても、ふくらはぎや足Ｆの圧迫が軽減され、しかも正座姿勢として違和感がないという条件を満足する高さ位置のことである。なお、この所定高さ位置は、脚長寸法の異なる複数の脚部材３，３´を適宜に取り替えることによって調整することができる。
【００２５】
図３（ａ）〜（ｆ）に示されるように、脚部材３，３´は、いずれも幅広の板状部材で構成されている。
図３（ｂ）に示されるように、脚部材３において、その上部における幅方向中央位置には、当該脚部材３に対し平面視で９０°位相をずらせた脚部材３´の上部が丁度嵌り込むように上方に向けて開放された上方開放切欠き部６が設けられている。
図３（ｅ）に示されるように、脚部材３´において、その下部における幅方向中央位置には、当該脚部材３´に対し平面視で９０°位相をずらせた脚部材３の下部が丁度嵌り込むように下方に向けて開放された下方開放切欠き部６´が設けられている。
これら上方開放切欠き部６と下方開放切欠き部６´とを係合させて、図４に示されるように、脚部材３，３´を互いに直角を成して交差させるように組み合せることにより、着座者の縦方向や横方向の体重移動を伴う使用にも耐えることができ、着座の安定性を確保することができる。
【００２６】
図３（ｂ）（ｅ）に示されるように、脚部材３，３´の両側部には、円弧状に切り欠かれて形成される側部切欠き部８，８；８´，８´が設けられている。
脚部材３，３´の下部には、長方形状に切り欠かれて形成される下部切欠き部９，９´が設けられている。
なお、脚部材３，３´において、下部切欠き部９，９´の両側における下面（接地面）には、畳やフローリング等を傷付けないようにするため、また滑り止めのため、例えばゴム、フェルト等の材質のシート材１０が貼り付けられている。
【００２７】
＜係止部材の説明＞
図４に示されるように、互いに交差するように組み合わされた脚部材３，３´において、これら脚部材３，３´の交差部の上面に相当する脚部材３´の中央部上面には、係止部材１１が植設されている。
係止部材１１は、脚部材３´の中央部上面から突出される軸部１１ａと、この軸部１１ａの上端部にその軸部１１ａの外周面から円形状に張り出すように設けられる張出部１１ｂとを有している。
【００２８】
＜各種開口部の説明＞
図５（ａ）（ｃ）に示されるように、基板４における下基板４ｂには、当該下基板４ｂを上下方向に貫通するように軸部嵌合開口部１２、張出部挿入開口部１３、および軸部通過開口部１４がそれぞれ設けられている。
軸部嵌合開口部１２は、係止部材１１の軸部１１ａが嵌合可能で、下基板４ｂの中心部に配設されている。
張出部挿入開口部１３は、係止部材１１の張出部１１ｂが挿入可能で、下基板４ｂにおける軸部嵌合開口部１２から水平方向の図５（ｃ）において右側に所定距離隔てた位置に配設されている。
軸部通過開口部１４は、係止部材１１の軸部１１ａが通過可能で、下基板４ｂにおける軸部嵌合開口部１２と張出部挿入開口部１３とを直線状に繋ぐように配設されている。
なお、本実施形態では、軸部嵌合開口部１２と軸部通過開口部１４と張出部挿入開口部１３とを座板２（下基板４ｂ）の左右方向に連続するように設けた例を示したが、これら開口部１２，１４，１３を座板２（下基板４ｂ）の前後方向に連続するように設けてもよい。この場合、後述するストッパ部材２０ａ，２０ｂの配置もそれら開口部１２，１４，１３の配置に合わせて変更されるのは言うまでもない。
【００２９】
＜張出部受入空間の説明＞
図５（ａ）に示されるように、基板４の内部には、少なくとも張出部挿入開口部１３から軸部通過開口部１４を経て軸部嵌合開口部１２に至る部分に対応する領域において、係止部材１１の張出部１１ｂを受け入れ可能な張出部受入空間１５が設けられている。
図５（ａ）（ｂ）に示されるように、この張出部受入空間１５は、上基板４ａの下面に、張出部挿入開口部１３、軸部通過開口部１４および軸部嵌合開口部１２を包含するような底面視角丸四角形状で、係止部材１１の張出部１１ｂの厚み寸法よりも深い窪み部１６を設けることにより形成される。
【００３０】
＜係止操作、回転操作の説明＞
本実施形態の組立式正座椅子１においては、係止部材１１の張出部１１ｂを張出部挿入開口部１３から張出部受入空間１５へと挿入した状態で、係止部材１１の軸部１１ａが張出部挿入開口部１３から軸部通過開口部１４を介して軸部嵌合開口部１２に位置するように座板２に対し脚部材３，３´を水平方向の一側にスライド移動させることにより、係止部材１１の張出部１１ｂが軸部嵌合開口部１２の周辺部に係止されるとともに、係止部材１１の軸部１１ａが軸部嵌合開口部１２に嵌合される。
係止部材１１の張出部１１ｂが軸部嵌合開口部１２の周辺部に係止されると、座板１１に対する脚部材３，３´の引き抜き方向の移動が止められることになる。
係止部材１１の軸部１１ａが軸部嵌合開口部１２に嵌合されると、座板１１に対し脚部材３，３´が水平方向に回転操作可能とされる。
【００３１】
＜磁石体と磁性体の説明＞
図３（ａ）（ｄ）に示されるように、脚部材３，３´の上面には、幅方向に所定間隔を存して一対の磁性体（ビス等）１７が埋設されている。
図５（ｃ）に示されるように、基板４の下面側（下基板４ｂ）には、合計４つの磁性体１７に対応するように４つの磁石体１８が埋設されている。これら磁性体１７と磁石体１８とは、座板２に対し脚部材３，３´が前後左右に十の字状となる回転位置に配されたときに、互いに近接するようにされている。
これにより、組付時においては、磁性体１７と磁石体１８との間に作用する磁力によって座板２に脚部材３，３´が吸い付けられるので、組付作業をより容易に行うことができ、組付後においては、同磁力によって座板２に対する脚部材３，３´の組付状態が保持される。
【００３２】
図３（ｂ）（ｅ）に示されるように、脚部材３，３´の板面における幅方向中間の所定高さ位置には、正面から背面に貫通するように磁性体１９が埋設されており、基板４の下面に埋設される磁石体１８を利用して、これら磁性体１９と磁石体１８との間に作用する磁力により、図６に示されるように、分解後の収納状態時に、座板２に脚部材３，３´を吸着させることができる。
【００３３】
なお、例えば、脚部材３，３´の上面に磁石体１８を、基板４の下面に磁性体１７をそれぞれ埋設するといった具合に、上記の磁性体１７と磁石体１８の埋め込みに関し、その埋め込み対象を入れ替える態様もあり得る。
また、磁性体１７に代えて、磁石体１８と引き合う別体の磁石体を用いてもよい。
【００３４】
＜ストッパ部材の説明＞
図５（ｃ）に示されるように、下基板４ｂの下面には、図において右側部にストッパ部材２０ａが固定されている。
図７（ａ）〜（ｃ）に示されるように、座板２に対する脚部材３，３´の所定の係止操作および回転操作により、同図（ｃ）に示されるように、座板２に対し前後左右に十の字状となる回転位置に配されて組み付けられた脚部材３，３´における脚部材３又は脚部材３´（本例では脚部材３）の上部側面にストッパ部材２０ａが当接されるようになっている。
【００３５】
このストッパ部材２０ａは、座板２に対し十の字状に組み付けられた脚部材３，３´の水平方向の図７（ｃ）において右側へのスライド移動を規制するものである。
このストッパ部材２０ａを設けることにより、座板２に対する脚部材３，３´の回転操作にて脚部材３，３´の上部側面がストッパ部材２０ａと当接しない回転位置に配してから脚部材３，３´を水平方向の図７（ｃ）において右側にスライド移動させるといった係止解除操作を行わない限り、座板２に対する脚部材３，３´の係止状態が解除されないので、組立状態をより安定的に保つことができる。
【００３６】
さらに、図５（ｃ）に示されるように、下基板４ｂの下面には、前部および後部にそれぞれストッパ部材２０ｂが固定されている。
これらストッパ部材２０ｂは、図６に示されるように、分解後の収納状態時に、磁性体１９と磁石体１８との間に作用する磁力によって座板２に吸着されている脚部材３，３´の水平方向の図において前後側へのスライド移動を規制するものである。
これらストッパ部材２０ｂを設けることにより、座板２に対する脚部材３，３´の前後方向のずれを防止することができて、磁性体１９と磁石体１８とによる吸着状態を確実に保つことができ、図６に示されるような分解収納状態の組立式正座椅子１を鞄等に入れる際や、鞄等に入れて持ち運ぶ際に、この組立式正座椅子１に多少の衝撃が作用したとしても、座板２と脚部材３，３´とがバラバラにならないようにされている。
【００３７】
＜構成部品の材質等の説明＞
脚部材３，３´や基板４などの各構成部品は、比較的高い剛性を得ることができるとともに軽量化を図ることができる木材や樹脂などの材質のもので構成するのが好ましい。また、クッション材５などの構成部品は、比較的弾性力を得ることができるとともに軽量化を図ることができる発泡樹脂などの材料のもので構成するのが好ましい。
【００３８】
＜作用効果の説明＞
以上に述べたように構成される組立式正座椅子１の組立手順について主に図３〜図５および図７を用いて以下に説明する。
まず、一方の脚部材３における上方開放切欠き部６（図３（ｂ）参照）と他方の脚部材３´における下方開放切欠き部６´（図３（ｅ）参照）とを係合させることによって、図４に示されるように、脚部材３，３´が互いに直角を成して交差するように組み合わせる。
次いで、図７（ａ）に示されるように、脚部材３，３´がストッパ部材２０ａに干渉しないようにして、係止部材１１の張出部１１ｂ（図４参照）を張出部挿入開口部１３から張出部受入空間１５（図５（ａ）参照）へと挿入する。
次いで、図７（ａ）〜（ｂ）に示されるように、その挿入状態で、係止部材１１の軸部１１ａ（図４参照）が張出部挿入開口部１３から軸部通過開口部１４を介して軸部嵌合開口部１２に位置するように座板２に対し脚部材３，３´を水平方向の図において左側にスライド移動させる。
これにより、係止部材１１の張出部１１ｂが軸部嵌合開口部１２の周辺部に係止されるとともに、係止部材１１の軸部１１ａが軸部嵌合開口部１２に嵌合される。
【００３９】
係止部材１１の張出部１１ｂが軸部嵌合開口部１２の周辺部に係止されると、座板２に対する脚部材３，３´の引き抜き方向の移動が止められることになる。
係止部材１１の軸部１１ａが軸部嵌合開口部１２に嵌合されると、座板２に対し脚部材３，３´が水平方向に回転操作可能とされる。
図７（ｂ）〜（ｃ）に示されるように、座板２に対する脚部材３，３´の水平方向の回転操作にて脚部材３，３´が座板２に対し前後左右に十の字状となる回転位置に配されると、磁性体１７（図４参照）と磁石体１８との間に作用する磁力により、座板２に対し脚部材３，３´がその回転位置に位置決めされる。
なお、上記組立手順の逆の手順の実施により、組立式正座椅子１を分解することができる。
【００４０】
本実施形態の組立式正座椅子１によれば、座板２に対する脚部材３，３´の所定の係止操作と回転操作の実施によって容易に組み立てることができる。
また、互いに交差するように組み合わされた脚部材３，３´によって着座者の縦方向や横方向の体重移動を伴う使用にも耐えることができるので、着座の安定性を確保することができる。
また、座板２および脚部材３，３´をそれぞれパーツ毎に分解することにより、コンパクトに纏めて鞄等に収納可能となるので、持ち運びの利便性を確保することができる。
また、組立状態においては、係止部材１１の張出部１１ｂが軸部嵌合開口部１２の周辺部に係止されて座板２に対する脚部材３，３´の引き抜き方向の移動が止められるので、例えば組立状態で当該組立式正座椅子１を持ち運ぼうとしたときに、万一、磁性体１７と磁石体１８との間に作用する磁力よりも大きな力が、座板２から脚部材３，３´を引き離す方向に作用したとしても、座板２から脚部材３，３´が外れるようなことがなく、組立状態を安定的に保つことができる。
【００４１】
〔第２の実施形態〕
図８には、本発明の第２の実施形態に係る組立式正座椅子における直交状態に組まれた一対の脚部材の斜視図が示されている。また、図９には、同組立式正座椅子における基板の縦断面図（ａ）、上基板の底面図（ｂ）および下基板の底面図（ｃ）が、図１０には、同組立式正座椅子の組立手順の説明図がそれぞれ示されている。
なお、本実施形態において、先の実施形態と同一または同様のものについては、図に同一符号を付すに留めてその詳細な説明を省略することとし、以下においては、本実施形態に特有の部分を中心に説明することとする（以下の各実施形態においても同様）。
【００４２】
＜係止部材の説明＞
図８に示されるように、互いに交差するように組み合わされた一対の脚部材３，３´において、これら脚部材３，３´の交差部の上面に相当する脚部材３´の中央部上面には、係止部材２１が植設されている。
係止部材２１は、脚部材３´の中央部上面から突出される軸部２１ａと、この軸部２１ａの上端部の両側にその軸部２１ａの直径寸法よりも小さい幅寸法でその軸部２１ａの外周面から直線状に張り出すように設けられる張出部２１ｂとを有している。
【００４３】
＜各種開口部の説明＞
図９（ａ）（ｃ）に示されるように、基板４における下基板４ｂには、当該下基板４ｂを上下に貫通するように軸部嵌合開口部２２および張出部挿入開口部２３がそれぞれ設けられている。
軸部嵌合開口部２２は、係止部材２１の軸部２１ａが嵌合可能で、下基板４ｂの中心部に配設されている。
張出部挿入開口部２３は、軸部嵌合開口部２２の図９（ｃ）において左右両側に配され、係止部材２１の各張出部２１ｂが挿入可能で、軸部嵌合開口部２２と一体的に設けられている。
【００４４】
＜張出部受入空間の説明＞
図９（ａ）に示されるように、基板４の内部には、軸部嵌合開口部２２の中心を基準として少なくとも各張出部挿入開口部２３を包含する円周領域部分に対応する領域において、係止部材２１の各張出部２１ｂを受け入れ可能な張出部受入空間２４が設けられている。
図９（ａ）（ｂ）に示されるように、この張出部受入空間２４は、上基板４ａの下面に、軸部嵌合開口部２２および各張出部挿入開口部２３を包含するような底面視円形状で、係止部材２１の張出部２１ｂの厚み寸法よりも深い窪み部２５を設けることにより形成される。
【００４５】
＜係止操作、回転操作の説明＞
本実施形態の組立式正座椅子１Ａにおいては、図１０（ａ）に示されるように、係止部材２１の軸部２１ａ（図８参照）を軸部嵌合開口部２２に挿入して嵌合するとともに、係止部材２１の張出部２１ｂ（図８参照）を張出部挿入開口部２３から張出部受入空間２４（図９（ａ）参照）へと挿入し、係止部材２１の張出部２１ｂを張出部受入空間２４内に配した状態で、張出部２１ｂが張出部挿入開口部２３からずれた位置に配されるように、係止部材２１の軸部２１ａを中心として、図１０（ａ）〜（ｂ）に示されるように、座板２に対し脚部材３，３´を水平方向に回転操作することにより、係止部材２１の張出部２１ｂが軸部嵌合開口部２２の周辺部に係止される。
【００４６】
そして、図１０（ｂ）〜（ｃ）に示されるように、脚部材３，３´が、座板２に対し前後左右に十の字状となる回転位置に配されると、磁性体１７（図８参照）と磁石体１８との間に作用する磁力により、座板２に対し脚部材３，３´がその回転位置に位置決めされる。
これにより、組付時においては、磁性体１７と磁石体１８との間に作用する磁力によって座板２に脚部材３，３´が吸い付けられるので、組付作業をより容易に行うことができ、組付後においては、同磁力によって座板２に対する脚部材３，３´の組付状態が保持される。
【００４７】
＜作用効果の説明＞
したがって、本実施形態の組立式正座椅子１Ａによっても、第１の実施形態の組立式正座椅子１と同様の作用効果を得ることができる。
さらに、本実施形態の組立式正座椅子１Ａによれば、係止部材２１の軸部２１ａが軸部嵌合開口部２２に嵌合すると、座板２に対し脚部材３，３´が水平方向にスライド移動することができないので、第１の実施形態の組立式正座椅子１において設けられていたストッパ部材２０ａが不要となり、第１の実施形態の組立式正座椅子１よりも構成の簡素化を図ることができる。
【００４８】
〔第３の実施形態〕
図１１には、本発明の第３の実施形態に係る組立式正座椅子における直交状態に組まれた一対の脚部材の斜視図が示されている。また、図１２には、同組立式正座椅子における基板の縦断面図（ａ）、上基板の底面図（ｂ）および下基板の底面図（ｃ）がそれぞれ示されている。
本実施形態の組立式正座椅子１Ｂは、第２の実施形態の組立式正座椅子１Ａの一部の構成を変更したものである。
【００４９】
本実施形態の組立式正座椅子１Ｂにおいては、図１１に示されるように、張出部２１ｂが軸部２１ａの上端部の片側のみ設けられている。これに伴い、図１２（ａ）（ｃ）に示されるように、基板４における下基板４ｂには、張出部挿入開口部２３が、軸部嵌合開口部２２の図において右側のみに配されている。
本実施形態の組立式正座椅子１Ｂによっても、上記各実施形態の組立式正座椅子１，１Ａと同様の作用効果を得ることができる。
【００５０】
〔第４の実施形態〕
図１３には、本発明の第４の実施形態に係る組立式正座椅子における直交状態に組まれた一対の脚部材の斜視図が示されている。
図１４には、同組立式正座椅子における基板の縦断面図（ａ）、上基板の底面図（ｂ）および下基板の底面図（ｃ）が、図１５には、同組立式正座椅子の組立手順の説明図がそれぞれ示されている。
【００５１】
＜枢軸部材、係止部材の説明＞
図１３に示されるように、互いに交差するように組み合わされた脚部材３，３´において、これら脚部材３，３´の交差部の上面に相当する脚部材３´の中央部上面には、枢軸部材２６が突設されている。
脚部材３の上面には、第１の実施形態における係止部材１１と同様のものが植設されている。
ここで、係止部材１１は、脚部材３，３´が互いに交差するように組み合わされた状態において枢軸部材２６と所定の軸間距離を隔てて配設される。
【００５２】
＜各種開口部の説明＞
図１４（ａ）（ｃ）に示されるように、基板４における下基板４ｂには、当該下基板４ｂを上下に貫通するように枢軸部材嵌合開口部２７、張出部挿入開口部２８、軸部嵌合開口部２９および軸部通過開口部３０がそれぞれ設けられている。
枢軸部材嵌合開口部２７は、枢軸部材２６が嵌合可能で、下基板４ｂの中心部に配設されている。
張出部挿入開口部２８は、係止部材１１の張出部１１ｂが挿入可能で、下基板４ｂにおける枢軸部材嵌合開口部２７から水平方向の図１４（ｃ）において左側に所定距離隔てた位置に配設されている。
軸部嵌合開口部２９は、係止部材１１の軸部１１ａが嵌合可能で、枢軸部材嵌合開口部２７の中心を基準として、下基板４ｂにおける張出部挿入開口部２８から水平方向に反時計回りで９０度ずれた位置に配設されている。
軸部通過開口部３０は、係止部材１１の軸部１１ａが通過可能で、下基板４ｂにおける張出部挿入開口部２８と軸部嵌合開口部２９とを円弧状に繋ぐように配設されている。
【００５３】
＜張出部受入空間の説明＞
図１４（ａ）に示されるように、基板４の内部には、少なくとも張出部挿入開口部２８から軸部通過開口部３０を経て軸部嵌合開口部２９に至る部分に対応する領域において、係止部材１１の張出部１１ｂを受け入れ可能な張出部受入空間３１が設けられている。
図１４（ａ）（ｂ）に示されるように、この張出部受入空間３１は、上基板４ａの下面に、張出部挿入開口部２８、軸部通過開口部３０および軸部嵌合開口部２９を包含するような底面視屈曲帯状で、係止部材１１の張出部１１ｂの厚み寸法よりも深い窪み部３２を設けることにより形成される。
【００５４】
＜係止操作、回転操作の説明＞
本実施形態の組立式正座椅子１Ｃにおいては、図１５（ａ）に示されるように、枢軸部材２６（図１３参照）を枢軸部材嵌合開口部２７に挿入して嵌合するとともに、係止部材１１の張出部１１ｂ（図１３参照）を張出部挿入開口部２８から張出部受入空間３１（図１４（ａ）参照）へと挿入し、係止部材１１の張出部１１ｂを張出部受入空間３１内に配した状態で、係止部材１１の軸部１１ａが張出部挿入開口部２８から軸部通過開口部３０を介して軸部嵌合開口部２９に位置するように、枢軸部材２６を中心として、図１５（ａ）〜（ｃ）に示されるように、座板２に対し脚部材３，３´を水平方向に回転操作することにより、係止部材１１の張出部１１ｂが軸部嵌合開口部２９の周辺部に係止される。
【００５５】
脚部材３，３´が上記の係止操作にて座板２に対し係止され、かつ脚部材３，３´が、図１５（ｃ）に示されるように、座板２に対し前後左右に十の字状となる回転位置に配されると、磁性体１７と磁石体１８との間に作用する磁力により、座板２に対し脚部材３，３´がその回転位置に位置決めされる。
これにより、組付時においては、磁性体１７と磁石体１８との間に作用する磁力によって座板２に脚部材３，３´が吸い付けられるので、組付作業をより容易に行うことができ、組付後においては、同磁力によって座板２に対する脚部材３，３´の組付状態が保持される
【００５６】
＜作用効果の説明＞
したがって、本実施形態の組立式正座椅子１Ｃによっても、上記各実施形態の組立式正座椅子１，１Ａ，１Ｂと同様の作用効果を得ることができる。
【００５７】
以上、本発明の組立式正座椅子について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【産業上の利用可能性】
【００５８】
本発明の組立式正座椅子は、容易に組立可能で着座の安定性や持ち運びの利便性を確保することができ、しかも組立状態を安定的に保持することができるという特性を有していることから、冠婚葬祭や各種の会合の席等で長時間正座するときにお尻の下に敷く携帯式の椅子としての用途に好適に用いることができる。
【符号の説明】
【００５９】
１，１Ａ〜１Ｃ    組立式正座椅子
２                座板
３，３´          脚部材
８，８´          側部切欠き部
１１，２１        係止部材
１１ａ，２１ａ    軸部
１１ｂ，２１ｂ    張出部
１２，２２，２９  軸部嵌合開口部
１３，２３，２８  張出部挿入開口部
１４，３０        軸部通過開口部
１５，２４，３１  張出部受入空間
１７              磁性体
１８              磁石体
２６              枢軸部材
２７              枢軸部材嵌合開口部
【要約】
【課題】容易に組立可能で着座の安定性や持ち運びの利便性を確保することができ、しかも組立状態を安定的に保持することができる組立式正座椅子を提供する。
【解決手段】交差状に組まれた脚部材３，３´を座板２に着脱可能に取着してなる組立式正座椅子１において、係止部材１１の張出部１１ｂが挿入可能な張出部挿入開口部１３と、係止部材１１の軸部１１ａが嵌合可能な軸部嵌合開口部１２と、係止部材１１の軸部１１ａが通過可能な軸部通過開口部１４と、座板２の内部に設けられて係止部材１１の張出部１１ｂを受け入れ可能な張出部受入空間１５と、座板２に対し脚部材３，３´が前後左右方向に十の字状に交差するように配されたときに対向する座板２の下面と脚部材３，３´の上面とのいずれか一方に埋設される磁石体１８および他方に埋設される磁性体１７とを備えるものとする。
【選択図】図７【図１】
0005554860.tif 000002
【図２】
0005554860.tif 000003
【図３】
0005554860.tif 000004
【図４】
0005554860.tif 000005
【図５】
0005554860.tif 000006
【図６】
0005554860.tif 000007
【図７】
0005554860.tif 000008
【図８】
0005554860.tif 000009
【図９】
0005554860.tif 000010
【図１０】
0005554860.tif 000011
【図１１】
0005554860.tif 000012
【図１２】
0005554860.tif 000013
【図１３】
0005554860.tif 000014
【図１４】
0005554860.tif 000015
【図１５】
0005554860.tif 000016